(57)【要約】【課題】  本発明は、例えば、小型、大口径、および高い解像性能の点で有利なズームレンズを提供することを目的とする。【解決手段】  ズームレンズは、物体側から像側へ順に、ズーミングのためには移動しない正の屈折力の前レンズ群と、ズーミングのために移動する２つの負の屈折力の変倍レンズ群を含む複数の変倍レンズ群と、ズーミングのためには移動しない正の屈折力の後レンズ群と、からなり、前記前レンズ群の焦点距離と、前記複数の変倍レンズ群の中で最も物体側に配された負の屈折力の変倍レンズ群の焦点距離と、前記複数の変倍レンズ群の中で最も像側に配された負の屈折力の変倍レンズ群の焦点距離と、前記後レンズ群の焦点距離とを適切に設定することを特徴とする。【選択図】  図１
2020194056.tif 000002
【特許請求の範囲】
【請求項１】
物体側から像側へ順に、ズーミングのためには移動しない正の屈折力の前レンズ群と、ズーミングのために移動する２つの負の屈折力の変倍レンズ群を含む複数の変倍レンズ群と、ズーミングのためには移動しない正の屈折力の後レンズ群と、からなり、
前記前レンズ群の焦点距離をｆｆとし、前記複数の変倍レンズ群の中で最も物体側に配された負の屈折力の変倍レンズ群の焦点距離をｆ１ｎとし、前記複数の変倍レンズ群の中で最も像側に配された負の屈折力の変倍レンズ群の焦点距離をｆ２ｎとし、前記後レンズ群の焦点距離をｆｒとして、
２．７＜｜ｆ２ｎ／ｆｒ｜＜６．０
０．５＜｜ｆｆ／ｆ１ｎ｜＜２．３
なる条件式を満足することを特徴とするズームレンズ。
【請求項２】
前記焦点距離ｆｆを有する変倍レンズ群のズーミング中の最大移動量の絶対値をｍ１ｎとし、前記前レンズ群の最も物体側のレンズの物体側の面頂点から像面までの距離をＬとして、
０．１４０＜ｍ１ｎ／Ｌ＜０．４００
なる条件式を満足することを特徴とする請求項１に記載のズームレンズ。
【請求項３】
前記後レンズ群の最も物体側のレンズの物体側の面頂点から像面までの距離をＬｒとし、前記後レンズ群の最も像側のレンズの物体側の面頂点から像面までの距離をＢＦとして、
０．０５＜ＢＦ／Ｌｒ＜０．３５
なる条件式を満足することを特徴とする請求項１または請求項２に記載のズームレンズ。
【請求項４】
前記後レンズ群の横倍率をβｒとして、
−１．０＜βｒ＜−０．２
なる条件式を満足することを特徴とする請求項１ないし請求項３のうちいずれか１項に記載のズームレンズ。
【請求項５】
前記後レンズ群の前側主点は、前記後レンズ群の最も物体側のレンズの物体側の面頂点よりも物体側に位置し、該面頂点から該前側主点までの距離をｏ１ｒとし、該面頂点から前記ズームレンズの像面までの距離をＬｒとして、
０．０８＜ｏ１ｒ／Ｌｒ＜０．２０
なる条件式を満足することを特徴とする請求項１ないし請求項４のうちいずれか１項に記載のズームレンズ。
【請求項６】
前記後レンズ群は、最も大きな空気間隔を隔てて、正の屈折力の前部分レンズ群と負の屈折力の後部分レンズ群とからなり、前記前部分レンズ群の焦点距離をｆｒｐとし、前記後部分レンズ群の焦点距離をｆｒｎとして、
０．１＜｜ｆｒｐ／ｆｒｎ｜＜０．７
なる条件式を満足することを特徴とする請求項１ないし請求項５のうちいずれか１項に記載のズームレンズ。
【請求項７】
前記前部分レンズ群は、
７５．０＜νｄ＜１００
なる条件式を満足するアッベ数νｄを有する正の屈折力のレンズを複数含むことを特徴とする請求項６に記載のズームレンズ。
なお、アッベ数νｄは、フラウンフォーファ線のＦ線（波長４８６．１ｎｍ）、ｄ線（波長５８７．６ｎｍ）、およびＣ線（波長６５６．３ｎｍ）に対する屈折率をそれぞれＮＦ、Ｎｄ、およびＮＣとして、
νｄ＝（Ｎｄ−１）／（ＮＦ−ＮＣ）
で表される。
【請求項８】
請求項１ないし請求項７のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズおよび撮像装置に関する。
【背景技術】
【０００２】
近年、テレビカメラや映画用カメラ、ビデオカメラ、写真用カメラ等の撮像装置には、映像表現の拡大のために浅い被写界深度や美しいボケ味を特徴とする大判センサを搭載したものがある。そのような撮像装置に装着するズームレンズとしては、より浅い被写界深度を得るため、大口径のズームレンズが要望されている。
【０００３】
このような要求に応えるために、物体側から順に、最も物体側に配置されて変倍のためには固定された正の屈折力のレンズ群、変倍用の負の屈折力のレンズ群、像面補正用の負の屈折力のレンズ群、最も像側に配置されて変倍のためには固定された正の屈折力のレンズ群を有して構成されたズームレンズが知られている。
【０００４】
特許文献１は、正負負正の４群からなり、ズーム全域の開口比（Ｆナンバー）が２．８程度のズームレンズを開示している。
【０００５】
特許文献２は、正正負負正の５群からなり、ズーム全域の開口比が２．８程度のズームレンズを開示している。
【先行技術文献】
【特許文献】
【０００６】
【特許文献１】ＷＯ２０１３／０３８６１４号公報
【特許文献２】特開２０１６−１７３４８１号公報
【発明の概要】
【発明が解決しようとする課題】
【０００７】
近年、撮像装置の小型化を図るために、レンズ装置のマウント面から像面までの間隔（フランジバック）を短縮した、所謂ミラーレスタイプのカメラが台頭してきている。特許文献１、２に記載のズームレンズは、ズーム全域での大口径化は実現されているものの、ミラーレスタイプのカメラに対して十分な小型化が図られているとはいえない。
【０００８】
本発明は、例えば、小型、大口径、および高い解像性能の点で有利なズームレンズを提供することを目的とする。
【課題を解決するための手段】
【０００９】
上記目的を達成するために、本発明のズームレンズは、物体側から像側へ順に、ズーミングのためには移動しない正の屈折力の前レンズ群と、ズーミングのために移動する２つの負の屈折力の変倍レンズ群を含む複数の変倍レンズ群と、ズーミングのためには移動しない正の屈折力の後レンズ群と、からなり、前記前レンズ群の焦点距離をｆｆとし、前記複数の変倍レンズ群の中で最も物体側に配された負の屈折力の変倍レンズ群の焦点距離をｆ１ｎとし、前記複数の変倍レンズ群の中で最も像側に配された負の屈折力の変倍レンズ群の焦点距離をｆ２ｎとし、前記後レンズ群の焦点距離をｆｒとして、
２．７＜｜ｆ２ｎ／ｆｒ｜＜６．０
０．５＜｜ｆｆ／ｆ１ｎ｜＜２．３
なる条件式を満足することを特徴とする。
【発明の効果】
【００１０】
本発明によれば、例えば、小型、大口径、および高い解像性の点で有利なズームレンズを提供することができる。
【図面の簡単な説明】
【００１１】
【図１】数値実施例１のズームレンズの広角端における断面図
【図２】数値実施例１の広角端における収差図
【図３】数値実施例１の中間のズーム位置における収差図
【図４】数値実施例１の望遠端における収差図
【図５】数値実施例２のズームレンズの広角端における断面図
【図６】数値実施例２の広角端における収差図
【図７】数値実施例２の中間のズーム位置における収差図
【図８】数値実施例２の望遠端における収差図
【図９】数値実施例３のズームレンズの広角端における断面図
【図１０】数値実施例３の広角端における収差図
【図１１】数値実施例３の中間のズーム位置における収差図
【図１２】数値実施例３の望遠端における収差図
【図１３】数値実施例４のズームレンズの広角端における断面図
【図１４】数値実施例４の広角端における収差図
【図１５】数値実施例４の中間のズーム位置における収差図
【図１６】数値実施例４の望遠端における収差図
【図１７】本発明のズームレンズを含む撮像装置の要概略図
【発明を実施するための形態】
【００１２】
以下に本発明の好ましい実施形態を添付の図面に基づいて詳細に説明する。
図１は本発明の実施例１のズームレンズの広角端（短焦点距離端）におけるレンズ断面図である。図２、図３、図４はそれぞれ実施例１のズームレンズの広角端、中間のズーム位置、望遠端（長焦点距離端）における収差図である。実施例１はズーム比２．９７、開口比２．０６程度のズームレンズである。
【００１３】
図５は本発明の実施例２のズームレンズの広角端におけるレンズ断面図である。図６、図７、図８はそれぞれ実施例２のズームレンズの広角端、中間のズーム位置、望遠端における収差図である。実施例２はズーム比４．１２、開口比２．８０程度のズームレンズである。
【００１４】
図９は本発明の実施例３のズームレンズの広角端におけるレンズ断面図である。図１０、図１１、図１２はそれぞれ実施例３のズームレンズの広角端、中間のズーム位置、望遠端における収差図である。実施例３はズーム比２．６３、開口比２．０５程度のズームレンズである。
【００１５】
図１３は本発明の実施例４のズームレンズの広角端におけるレンズ断面図である。図１４、図１５、図１６はそれぞれ実施例４のズームレンズの広角端、中間のズーム位置、望遠端における収差図である。実施例４はズーム比２．９７、開口比２．０６程度のズームレンズである。
【００１６】
レンズ断面図において、ｉは物体側から像側への各レンズ群の順序を示し、Ｌｉは第ｉレンズ群である。ＳＰは開放Ｆナンバー（Ｆｎｏ）光束を決定（制限）する開口絞りの作用をするＦナンバー決定部材（以下「開口絞り」と呼ぶ）である。ＩＰは像面であり、ビデオカメラやデジタルカメラの撮影光学系として使用する際にはＣＣＤセンサやＣＭＯＳセンサ等の固体撮像素子（光電変換素子）の撮像面が置かれる。また、銀塩フィルム用カメラの撮影光学系として使用する際にはフィルム面に相当する感光面が置かれている。収差図において、ｄ、ｇは各々ｄ線およびｇ線、ΔＭ、ΔＳはメリディオナル像面、サジタル像面を表している。また、軸上および倍率色収差は、ｇ線によって表している。
【００１７】
次に、各実施例に共通して、本発明の効果を得る上で特徴となる点について説明する。
本発明のズームレンズは、物体側から像側へ順に、ズーミングのためには移動しない正の屈折力の前レンズ群と、ズーミングのために移動する２つの負の屈折力の変倍レンズ群を含む複数の変倍レンズ群と、ズーミングのためには移動しない正の屈折力の後レンズ群と、から構成される。複数の変倍レンズ群は少なくとも、ズーミングのために移動する２つの負の屈折力のレンズ群を有する。ズームレンズは以下の条件を満足している。
２．７＜｜ｆ２ｎ／ｆｒ｜＜６．０      （１）
０．５＜｜ｆｆ／ｆ１ｎ｜＜２．３      （２）
ただし、前レンズ群の焦点距離をｆｆ、複数の変倍レンズ群に含まれるレンズ群の中で最も物体側の負レンズ群の焦点距離をｆ１ｎ、複数の変倍レンズ群に含まれるレンズ群の中で最も像側の負レンズ群の焦点距離をｆ２ｎ、後レンズ群の焦点距離をｆｒとする。
【００１８】
本発明では、最も物体側に配置された前レンズ群をズーミング時に固定することにより、ズーミング時に必要な駆動源の省力化や、ズーミング時の微小な像ブレの抑制の強度を高めている。
【００１９】
更に、複数の変倍レンズ群に含まれる２つの負の屈折力のレンズ群を可動とすることにより、ズームレンズの変倍と像面補正を行っている。
【００２０】
更に、最も像側にズーミング時固定の後レンズ群を配置することによって、複数の変倍レンズ群までで発生した諸収差を良好に補正している。
【００２１】
更に、条件式（１）、（２）を満たすことにより、ミラーレスタイプのカメラに対応した大口径ズームレンズの小型化と高性能化を両立している。
【００２２】
条件式（１）は、複数の変倍レンズ群に含まれるレンズ群の中で最も像側の負レンズ群の焦点距離ｆ２ｎと後レンズ群の焦点距離ｆｒとの比率を規定している。
【００２３】
条件式（１）が上限の条件を満たさないと、複数の変倍レンズ群に含まれるレンズ群の中で最も像側の負レンズ群の焦点距離が長くなりすぎてしまい、ズーミング時の像面補正群とした場合、移動量を短縮することが困難となり、レンズ全長を小型化することが困難となる。
【００２４】
条件式（１）が下限の条件を満たさないと、後レンズ群の焦点距離が複数の変倍レンズ群に含まれるレンズ群の中で最も像側の負レンズ群の焦点距離に対して長くなりすぎ、後レンズ群で軸上光線を収斂する作用が弱まりすぎる。その結果として、後レンズ群から像面までの距離を短縮し、レンズ全長を小型化することが困難となる。
【００２５】
なお更に好ましくは、実施の形態の効果を大きくするために、条件式（１）、（２）の範囲を以下の範囲に設定することが好ましい。
２．７＜｜ｆ２ｎ／ｆｒ｜＜５．０      （１ａ）
１．０＜｜ｆｆ／ｆ１ｎ｜＜２．３      （２ａ）
【００２６】
更に好ましくは、条件式（１ａ）、（２ａ）の範囲を以下の範囲に設定することが好ましい。
２．７＜｜ｆ２ｎ／ｆｒ｜＜４．５      （１ｂ）
１．２＜｜ｆｆ／ｆ１ｎ｜＜２．３      （２ｂ）
【００２７】
更に、複数の変倍レンズ群に含まれるレンズ群の中で最も物体側の負レンズ群のズーミング中の最大移動量の絶対値をｍ１ｎ、前レンズ群の最も物体側のレンズの物体側面頂点から像面までの距離をＬとした時、以下の条件式を満足することが好ましい。
０．１４０＜ｍ１ｎ／Ｌ＜０．４００      （３）
【００２８】
条件式（３）が上限の条件を満たさないと、複数の変倍レンズ群に含まれるレンズ群の中で最も物体側の負レンズ群の移動量が長くなり過ぎてしまう。そのため、ズーミング時の変倍群とした場合、ズーミング時に必要なアクチュエータの大型化につながり、ズームレンズを小型化することが困難となる。
【００２９】
条件式（３）が下限の条件を満たさないと、複数の変倍レンズ群に含まれるレンズ群の中で最も物体側の負レンズ群の移動量が短くなり過ぎてしまう。そのため、ズーミング時の変倍群とした場合、所望の変倍効果を得るためには、複数の変倍レンズ群に含まれるレンズ群の中で最も物体側の負レンズ群の屈折力が強まりすぎてしまい、広角端の倍率色収差を補正することが困難となる。
【００３０】
更に、後レンズ群の最も物体側のレンズの物体側面頂点から像面までの距離をＬｒ、後レンズ群の最も像側のレンズの物体側面頂点から像面までの距離をＢＦとした時、以下の条件式を満足することが好ましい。
０．０５＜ＢＦ／Ｌｒ＜０．３５      （４）
【００３１】
条件式（４）が上限の条件を満たさないと、後レンズ群の最も像側のレンズの物体側面頂点から像面までの距離が長くなり過ぎてしまい、レンズ全長を短縮することが困難となる。
【００３２】
条件式（４）が下限の条件を満たさないと、後レンズ群の最も像側のレンズの物体側面頂点から像面までの距離が短くなり過ぎてしまい、撮像面との干渉を避けるスペースを確保することが困難となる。
【００３３】
更に、後レンズ群の横倍率をβｒとした時、以下の条件式を満足することが好ましい。
−１．０＜βｒ＜−０．２      （５）
【００３４】
条件式（５）が上限の条件を満たさないと、後レンズ群の軸上光線を収斂作用が小さくなり過ぎてしまい、後レンズ群から像面までの距離を短縮し、レンズ全長を小型化することが困難となる。
【００３５】
条件式（５）が下限の条件を満たさないと、後レンズ群の軸上光線を収斂作用が強くなり過ぎてしまい、後レンズ群で発生するズーム全域の球面収差を補正することが困難となる。
【００３６】
更に、後レンズ群の最も物体側のレンズの物体側面頂点から後レンズ群の前側主点は、後レンズ群の最も物体側のレンズの物体側面頂点よりも物体側に位置している。後レンズ群の最も物体側のレンズの物体側面頂点から後レンズ群の前側主点までの距離をｏ１ｒ、後レンズ群の最も物体側のレンズの物体側面頂点から像面までの距離をＬｒ、とした時、以下の条件式を満足することが好ましい。
０．０８＜ｏ１ｒ／Ｌｒ＜０．２０      （６）
【００３７】
条件式（６）が上限を越えて、後レンズ群の前側主点を物体側に出すと、後レンズ群で発生する像面湾曲を補正することが困難となる。
【００３８】
条件式（６）が下限の条件を満たさないと、後レンズ群の前側主点が複数の変倍レンズ群の後側主点に対して離れて過ぎてしまい、後レンズ群から像面までの距離を短縮し、レンズ全長を小型化することが困難となる。
【００３９】
更に、後レンズ群は、最も大きな空気間隔を隔てて、正の屈折力の前部分レンズ群と負の屈折力の後部分レンズ群に分けられ、前部分レンズ群の焦点距離をｆｒｐ、後部分レンズ群の焦点距離をｆｒｎとした時、以下の式を満足することが好ましい。
０．１＜｜ｆｒｐ／ｆｒｎ｜＜０．７      （７）
【００４０】
条件式（７）が上限の条件を満たさないと、前部分レンズ群の焦点距離が後部分レンズ群の焦点距離より長くなり過ぎてしまい、後レンズ群の前側主点を物体側に近づける作用が弱まりすぎてしまい、後レンズ群から像面までの距離を短縮し、レンズ全長を小型化することが困難となる。
【００４１】
条件式（７）が下限の条件を満たさないと、前部分レンズ群の焦点距離が後部分レンズ群の焦点距離より短くなり過ぎてしまい、ズーム全域において、球面収差と像面湾曲を補正することが困難となる。
【００４２】
更に、後レンズ群に含まれる前部分レンズ群は、以下の条件式を満足するアッベ数の正レンズを複数含むことが好ましい。
７５．０＜νｄ＜１００      （８）
なお、アッベ数νｄは、フラウンフォーファ線のＦ線（波長４８６．１ｎｍ）、ｄ線（波長５８７．６ｎｍ）、Ｃ線（波長６５６．３ｎｍ）に対する屈折率をそれぞれＮＦ、Ｎｄ、ＮＣとして、
νｄ＝（Ｎｄ−１）／（ＮＦ−ＮＣ）
で表される。
【００４３】
条件式（８）が上限の条件を満たさないと、実在する光学材料では、屈折率が小さくなりすぎてしまうため、前部分レンズ群で所望の屈折力を得ようとすると、前部分レンズ群に含まれる正レンズの曲率が小さくなりすぎてしまう。その結果として、ズーム全域で球面収差と像面湾曲の補正が困難となる。
【００４４】
条件式（８）が下限の条件を満たさないと、前部分レンズ群で発生する軸上色収差が大きくなり過ぎてしまい、ズーム全域おいて、軸上色収差の補正が困難となる。
【００４５】
更に好ましくは、実施の形態の効果を大きくするために、条件式（３）〜条件式（７）の範囲を以下の範囲に設定することが好ましい。
０．１４５＜ｍ１ｎ／Ｌ＜０．４００      （３ａ）
０．１＜ＢＦ／Ｌｒ＜０．３３      （４ａ）
−１．０＜βｒ＜−０．２３      （５ａ）
０．０９＜ｏ１ｒ／Ｌｒ＜０．１６      （６ａ）
０．１５＜｜ｆｒｐ／ｆｒｎ｜＜０．６５      （７ａ）
【００４６】
更に、本発明が提案するズームレンズは、歪曲収差と倍率色収差を含んだ電気信号を画像処理によって補正するシステムと合わせて使用することにより、全ズーム領域で更に高い性能を達成することができる。
次に、本発明のズームレンズの各実施例の構成について詳細を述べる。
【実施例１】
【００４７】
実施例１のズームレンズは、広角端から望遠端へのズーミングに際して、正の屈折力の第１レンズ群Ｌ１と正の屈折力の第４レンズ群Ｌ４が固定、負の屈折力の第２レンズ群Ｌ２、負の屈折力の第３レンズ群Ｌ３が移動している。具体的には、広角端から望遠端へのズーミングに際して、第１レンズ群Ｌ１と第２レンズ群Ｌ２の間隔は広がり、第２レンズ群Ｌ２と第３レンズ群Ｌ３の間隔は狭まるようにＬ２とＬ３が移動する。第４レンズ群Ｌ４の物体側に開口絞りＳＰを設けている。フォーカシングについては、任意のレンズ群を光軸方向に移動させて行うことが可能であるが、正の屈折力の第１レンズ群Ｌ１の一部を駆動して行うことが望ましい。
【００４８】
以下、実施例１の第１レンズ群Ｌ１から第４レンズ群Ｌ４までの群内の構成について説明する。
実施例１の第１レンズ群Ｌ１は、物体側より順に像側に強い凹面を向けた負メニスカスレンズ１１、負レンズ１２、正メニスカスレンズ１３、正レンズ１４、負レンズ１５と正レンズ１６で構成された接合レンズ１７、正レンズ１８、正レンズ１９で構成している。
【００４９】
このように構成することで、物体側より順に物体側に凸面を向けた負メニスカスレンズ１１、負レンズ１２を物体側に配置することでズームレンズの広角化に有利な構成とし、正レンズ１３、正レンズ１４、接合レンズ１７、正レンズ１８、正レンズ１９で第１レンズ群Ｌ１の正の屈折力を分担する。これにより、第１レンズ群Ｌ１で発生する諸収差、特に望遠短の軸上色収差と像面湾曲の発生を低減している。
【００５０】
実施例１の第２レンズ群Ｌ２は物体側より順に、像側に強い凹面を向けた負レンズ２１、負レンズ２２、負レンズ２３と正レンズ２４で構成された接合レンズ２５で構成している。このように構成することで、第２レンズ群Ｌ２の負の屈折力を負レンズ２枚で分担し、接合レンズを１枚含んで構成することにより、第２レンズ群Ｌ２で発生する諸収差、特に、ズーム全域の像面湾曲と広角端の倍率色収差を低減している。
【００５１】
実施例１の第３レンズ群Ｌ３は、物体側より順に、物体側に凹面を向けた負レンズ３１と正レンズ３２とで構成された接合レンズ３３で構成している。このように第３レンズ群Ｌ３を１枚の接合レンズで構成することで、第３レンズ群自体の軽量化と変倍全域に渡る軸上色収差の発生を低減している。
【００５２】
実施例１の第４レンズ群Ｌ４は、最も大きな空気間隔を隔てて、正の前部分レンズ群と負の後部分レンズ群に分けられる。
【００５３】
前部分レンズ群は、物体側より順に、正レンズ４１、正レンズ４２と負レンズ４３で構成された接合レンズ４４、正レンズ４５、負レンズ４６と正レンズ４７で構成された接合レンズ４８で構成している。このように構成することで、第４レンズ群Ｌ４の前部分レンズ群の正の屈折力を複数枚の正レンズで分担し、第４レンズ群Ｌ４の前部分レンズ群で発生する諸収差、特に変倍全域に渡る、球面収差と像面湾曲の発生を低減している。
【００５４】
後部分レンズ群は、負レンズ４９と正レンズ４１０とで構成された接合レンズ４１１，正レンズ４１２で構成している。このように、第４レンズ群Ｌ４の後部分レンズ群に接合レンズを含んで構成することにより、後部分レンズ群で発生する諸収差、特に変倍全域に渡る、倍率色収差の発生を低減している。
【実施例２】
【００５５】
実施例２のズームレンズは、広角端から望遠端へのズーミングに際して、正の第１レンズ群Ｌ１と正の第５レンズ群Ｌ５が固定、正の第２レンズ群Ｌ２、負の第３レンズ群Ｌ３、負の第４レンズ群Ｌ４が移動している。
【００５６】
具体的には、広角端から望遠端へのズーミングに際して、第１レンズ群Ｌ１と第２レンズ群Ｌ２の間隔、第２レンズ群Ｌ２と第３レンズ群Ｌ３の間隔は広がり、第３レンズ群Ｌ３と第４レンズ群Ｌ４の間隔は狭まるようにＬ２からＬ４が移動する。第５レンズ群Ｌ５の物体側に開口絞りＳＰを設けている。フォーカシングについては、任意のレンズ群を光軸方向に移動させて行うことが可能であるが、正の屈折力の第１レンズ群Ｌ１の一部を駆動して行うことが望ましい。
【００５７】
以下、実施例２の第１レンズ群Ｌ１から第５レンズ群Ｌ５までの群内の構成について説明する。
実施例２の第１レンズ群Ｌ１は、物体側より順に像側に強い凹面を向けた負メニスカスレンズ１１、負レンズ１２、正メニスカスレンズ１３、正レンズ１４、負レンズ１５と正レンズ１６で構成された接合レンズ１７、正レンズ１８で構成している。
【００５８】
この構成により、物体側より順に、物体側に凸面を向けた負メニスカスレンズ１１、負レンズ１２を物体側に配置することで広角化に有利な構成とし、正レンズ１３、正レンズ１４、接合レンズ１７、正レンズ１８で第１レンズ群Ｌ１の正の屈折力を分担する。これにより、第１レンズ群Ｌ１で発生する諸収差、特に望遠短の軸上色収差と像面湾曲の発生を低減している。
【００５９】
実施例２の第２レンズ群Ｌ２は、正レンズ２１、１枚で構成している。このように構成することで、第２レンズ群Ｌ２の軽量化を図りつつ、ズーム中間域の非点収差を補正している。
【００６０】
実施例２の第３レンズ群Ｌ３は、物体側より順に、像側に強い凹面を向けた負レンズ３１、負レンズ３２、負レンズ３３と正レンズ３４で構成された接合レンズ３５で構成している。このように構成することで、第３レンズ群Ｌ３の負の屈折力を負レンズ２枚で分担し、接合レンズを１枚含んで構成することにより、第３レンズ群Ｌ３で発生する諸収差、特に、ズーム全域の像面湾曲と広角端の倍率色収差を低減している。
【００６１】
実施例２の第４レンズ群Ｌ４は、物体側より順に、物体側に凹面を向けた負レンズ４１と正レンズ４２とで構成された接合レンズ４３で構成している。このように第４レンズ群Ｌ４を１枚の接合レンズで構成することで、第４レンズ群自体の軽量化と変倍全域に渡る軸上色収差の発生を低減している。
【００６２】
実施例２の第５レンズ群Ｌ５は、最も大きな空気間隔を隔てて、正の屈折力の前部分レンズ群と負の屈折力の後部分レンズ群に分けられる。
【００６３】
前部分レンズ群は、物体側より順に、正レンズ５１、正レンズ５２と負レンズ５３で構成された接合レンズ５４、正レンズ５５、負レンズ５６と正レンズ５７で構成された接合レンズ５８で構成している。このように構成することで、第５レンズ群Ｌ５の前部分レンズ群の正の屈折力を複数枚の正レンズで分担し、第５レンズ群Ｌ５の前部分レンズ群で発生する諸収差、特に変倍全域に渡る、球面収差と像面湾曲の発生を低減している。
【００６４】
後部分レンズ群は、正レンズ５９と負レンズ５１０とで構成された接合レンズ５１１、負レンズ５１２と正レンズ５１３とで構成された接合レンズ５１４，正レンズ５１５で構成している。このように、第５レンズ群Ｌ５の後部分レンズ群に接合レンズを複数枚含んで構成することにより、後部分レンズ群で発生する諸収差、特に変倍全域に渡る、倍率色収差の発生を低減している。
【実施例３】
【００６５】
実施例３のズームレンズは、広角端から望遠端へのズーミングに際して、正の屈折力の第１レンズ群Ｌ１と正の屈折力の第５レンズ群Ｌ５が固定、負の屈折力の第２レンズ群Ｌ２、正の屈折力の第３レンズ群Ｌ３、負の屈折力の第４レンズ群Ｌ４が移動している。
【００６６】
具体的には、広角端から望遠端へのズーミングに際して、第１レンズ群Ｌ１と第２レンズ群Ｌ２の間隔は広がり、第２レンズ群Ｌ２と第３レンズ群Ｌ３の間隔は広がり、第３レンズ群Ｌ３と第４レンズ群Ｌ４の間隔は狭まるようにＬ２からＬ４が移動する。
【００６７】
第５レンズ群Ｌ５の物体側に開口絞りＳＰを設けている。フォーカシングについては、任意のレンズ群を光軸方向に移動させて行うことが可能であるが、正の屈折力の第１レンズ群Ｌ１の一部を駆動して行うことが望ましい。
【００６８】
以下、実施例３の第１レンズ群Ｌ１から第５レンズ群Ｌ５までの群内の構成について説明する。
実施例３の第１レンズ群Ｌ１は、物体側より順に像側に強い凹面を向けた負メニスカスレンズ１１、負レンズ１２、正メニスカスレンズ１３、正レンズ１４、負レンズ１５と正レンズ１６で構成された接合レンズ１７、正レンズ１８、正レンズ１９で構成している。
【００６９】
この構成により、物体側より順に物体側に凸面を向けた負メニスカスレンズ１１、負レンズ１２を物体側に配置することで広角化に有利な構成とし、正レンズ１３、正レンズ１４、接合レンズ１７、正レンズ１８、正レンズ１９で第１レンズ群Ｌ１の正の屈折力を分担する。これにより、第１レンズ群Ｌ１で発生する諸収差、特に望遠短の軸上色収差と像面湾曲の発生を低減している。
【００７０】
実施例３の第２レンズ群Ｌ２は物体側より順に、像側に強い凹面を向けた負レンズ２１、負レンズ２２で構成している。このように構成することで、第２レンズ群Ｌ２の負の屈折力を負レンズ２枚で分担し、第２レンズ群Ｌ２で発生する諸収差、特に、ズーム全域の像面湾曲を低減している。
【００７１】
実施例３の第３レンズ群Ｌ３は、負レンズ３１と正レンズ３２で構成された接合レンズ３３で構成している。このように構成することで、第３レンズ群Ｌ３を接合レンズ１枚で構成することにより、第３レンズ群Ｌ３の軽量化と、第３レンズ群Ｌ３で発生する諸収差、特に、広角端の倍率色収差を低減している。
【００７２】
実施例３の第４レンズ群Ｌ４は、物体側より順に、物体側に凹面を向けた負レンズ４１と正レンズ４２とで構成された接合レンズ４３で構成している。このように第４レンズ群Ｌ４を１枚の接合レンズで構成することで、第４レンズ群自体の軽量化と変倍全域に渡る軸上色収差の発生を低減している。
【００７３】
実施例３の第５レンズ群Ｌ５は、最も大きな空気間隔を隔てて、正の屈折力の前部分レンズ群と負の屈折力の後部分レンズ群に分けられる。
【００７４】
前部分レンズ群は、物体側より順に、正レンズ５１、正レンズ５２と負レンズ５３で構成された接合レンズ５４、正レンズ５５、負レンズ５６と正レンズ５７で構成された接合レンズ５８で構成している。このように構成することで、第５レンズ群Ｌ５の前部分レンズ群の正の屈折力を複数枚の正レンズで分担し、第５レンズ群Ｌ５の前部分レンズ群で発生する諸収差、特に変倍全域に渡る、球面収差と像面湾曲の発生を低減している。
【００７５】
後部分レンズ群は、負レンズ５９と正レンズ５１０とで構成された接合レンズ５１１，正レンズ５１２で構成している。このように、第５レンズ群Ｌ５の後部分レンズ群に接合レンズを含んで構成することにより、後部分レンズ群で発生する諸収差、特に変倍全域に渡る、倍率色収差の発生を低減している。
【実施例４】
【００７６】
実施例４のズームレンズは、広角端から望遠端へのズーミングに際して、正の屈折力の第１レンズ群Ｌ１と正の屈折力の第５レンズ群Ｌ５が固定、負の屈折力の第２レンズ群Ｌ２、負の屈折力の第３レンズ群Ｌ３、正の屈折力の第４レンズ群Ｌ４が移動している。
【００７７】
具体的には、広角端から望遠端へのズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は狭まるようにＬ２からＬ４が移動する。
【００７８】
第５レンズ群Ｌ５の物体側に開口絞りＳＰを設けている。フォーカシングについては、任意のレンズ群を光軸方向に移動させて行うことが可能であるが、正の屈折力の第１レンズ群Ｌ１の一部を駆動して行うことが望ましい。
【００７９】
以下、実施例４の第１レンズ群Ｌ１から第５レンズ群Ｌ５までの群内の構成について説明する。
実施例４の第１レンズ群Ｌ１は、物体側より順に像側に強い凹面を向けた負メニスカスレンズ１１、負レンズ１２、正メニスカスレンズ１３、正レンズ１４、負レンズ１５と正レンズ１６で構成された接合レンズ１７、正レンズ１８、正レンズ１９で構成している。
【００８０】
この構成により、物体側より順に、物体側に凸面を向けた負メニスカスレンズ１１、負レンズ１２を物体側に配置することで広角化に有利な構成とし、正レンズ１３、正レンズ１４、接合レンズ１７、正レンズ１８、正レンズ１９で第１レンズ群Ｌ１の正の屈折力を分担する。これにより、第１レンズ群Ｌ１で発生する諸収差、特に望遠短の軸上色収差と像面湾曲の発生を低減している。
【００８１】
実施例４の第２レンズ群Ｌ２は物体側より順に、像側に強い凹面を向けた負レンズ２１、負レンズ２２、負レンズ２３と正レンズ２４で構成された接合レンズ２５で構成している。このように構成することで、第２レンズ群Ｌ２の負の屈折力を負レンズ２枚で分担し、接合レンズを１枚含んで構成することにより、第２レンズ群Ｌ２で発生する諸収差、特に、ズーム全域の像面湾曲と広角端の倍率色収差を低減している。
【００８２】
実施例４の第３レンズ群Ｌ３は、物体側より順に、物体側に凹面を向けた負レンズ３１と正レンズ３２とで構成された接合レンズ３３で構成している。このように第３レンズ群Ｌ３を１枚の接合レンズで構成することで、第３レンズ群自体の軽量化と変倍全域に渡る軸上色収差の発生を低減している。
【００８３】
実施例４の第４レンズ群Ｌ４は、正レンズ４１、１枚で構成している。このように構成することで、第４レンズ群Ｌ４の軽量化を図りつつ、ズーム全域の球面収差を補正している。
【００８４】
実施例４の第５レンズ群Ｌ５は、最も大きな空気間隔を隔てて、正の屈折力の前部分レンズ群と負の屈折力の後部分レンズ群に分けられる。
【００８５】
前部分レンズ群は、物体側より順に、正レンズ５１、正レンズ５２と負レンズ５３で構成された接合レンズ５４、正レンズ５５、負レンズ５６と正レンズ５７で構成された接合レンズ５８で構成している。このように構成することで、第５レンズ群Ｌ５の前部分レンズ群の正の屈折力を複数枚の正レンズで分担し、第５レンズ群Ｌ５の前部分レンズ群で発生する諸収差、特に変倍全域に渡る、球面収差と像面湾曲の発生を低減している。
【００８６】
後部分レンズ群は、負レンズ５９と正レンズ５１０とで構成された接合レンズ５１１，正レンズ５１２で構成している。このように、第５レンズ群Ｌ５の後部分レンズ群に接合レンズを含んで構成することにより、後部分レンズ群で発生する諸収差、特に変倍全域に渡る、倍率色収差の発生を低減している。なお各実施例では任意のレンズ群を光軸と垂直な方向に移動させて手ぶれ補正を行うことが可能である。
【００８７】
次に本発明の各実施例の数値実施例を示す。各数値実施例において、ｉは物体側からの面の順序を示し、Ｒｉはレンズ面の曲率半径、Ｄｉは第ｉ面と第ｉ＋１面との間のレンズ肉厚および空気間隔、Ｎｄｉ、νｄｉはそれぞれｄ線に対する屈折率、アッベ数を示す。
【００８８】
各数値実施例において使用する記号の意味は次に示すとおりである。数値実施例においてＲｉは物体側より順に第ｉ番目のレンズ面の曲率半径、Ｄｉは物体側より順に第ｉ番目のレンズ厚および空気間隔、Ｎｉとνｉは各々物体側より順に第ｉ番目の面と第ｉ＋１番目の面の間の媒体のｄ線に対する屈折率、アッベ数である。
【００８９】
非球面形状は、光軸方向にＸ軸、光軸と垂直方向にＨ軸、光の進行方向を正としＲを近軸曲率半径、Ｋを円錐定数、Ａ４，Ａ６，Ａ８，Ａ１０，Ａ１２，Ａ１４，Ａ１６を各々非球面係数としたとき、
【数１】
2020194056.tif 000003
なる式で表される。また、［ｅ＋Ｘ］は［×１０＋ｘ］を意味し、［ｅ−Ｘ］は［×１０−ｘ］を意味している。非球面は面番号の後に＊を付して示す。
【００９０】
（数値実施例１）
単位 mm
面データ
面番号       r        d      nd         vd       有効径
1*        80.135    3.00   2.02204    29.1       60.68
2         32.951   18.11                         50.46
3        -62.066    2.00   1.88067    41.1       50.19
4      -1776.801    0.08                         52.17
5         72.872    5.42   1.73520    41.6       55.06
6        218.615    2.00                         54.93
7        234.279    7.96   1.43875    94.9       55.03
8*       -92.825    5.47                         55.42
9        259.085    1.47   1.81474    37.0       55.62
10         44.508   10.50   1.45650    90.3       54.80
11        523.657    0.50                         55.33
12        100.090   10.01   1.69760    55.5       57.25
13        -97.082    0.50                         57.28
14        164.242    4.08   1.92250    36.0       54.36
15       -794.404  (可変)                         53.85
16*        43.076    0.92   1.69680    56.5       35.94
17         22.929   11.23                         32.10
18        -36.942    0.70   1.43425    95.0       31.31
19         64.056    1.53                         30.56
20         66.757    0.70   1.89286    20.4       31.45
21         25.949    6.67   2.00069    25.5       31.94
22        374.128  (可変)                         31.98
23        -44.872    0.70   2.00069    25.5       32.62
24        387.544    5.39   1.89286    20.4       34.49
25        -54.171  (可変)                         35.46
26(絞り)    ∞       1.01                         37.77
27*        35.353    7.84   1.88100    40.1       39.81
28      -5320.728    0.50                         39.00
29         50.090    7.18   1.43385    95.2       36.64
30        -68.081    1.27   1.74100    52.6       35.88
31         32.944    0.50                         32.95
32         28.607    7.85   1.43385    95.2       33.25
33       -267.543    0.50                         32.69
34         31.451    0.73   2.00069    25.5       30.41
35         16.923    8.94   1.43385    95.2       27.45
36       1099.041   21.07                         27.14
37        -23.865    1.33   1.95250    20.4       23.27
38         25.045    6.36   1.92250    36.0       26.76
39        -71.281    0.50                         27.30
40         54.202    3.00   1.98612    16.5       29.28
41      25737.383  (可変)                         29.25
像面        ∞   
非球面データ
第1面
K = 0.00000e+000  A 4= 1.17132e-007  A 6= 2.00609e-010  A 8=-6.34260e-014  A10=-8.77421e-016  A12= 1.07022e-018  A14=-4.07739e-022  
第8面
K = 0.00000e+000  A 4= 2.33637e-007  A 6=-3.50920e-010  A 8= 4.91678e-013  A10=-1.87914e-015  A12= 2.11185e-018  A14=-7.95735e-022  
第16面
K = 0.00000e+000  A 4= 1.52337e-006  A 6= 3.92617e-010  A 8=-6.66930e-012  A10= 4.08911e-014  A12=-1.32108e-016  A14= 1.39906e-019  
第27面
K = 0.00000e+000  A 4=-1.85005e-006  A 6=-5.64411e-010  A 8=-7.60025e-013  A10= 3.22096e-016  A12=-2.93840e-019  
【００９１】
各種データ
ズーム比      2.97 
広角     中間     望遠
焦点距離      18.51    34.71    55.00  
Fナンバー      2.06     2.06     2.06  
半画角        37.10    21.97    14.28  
像高          14.00    14.00    14.00  
レンズ全長   250.01   250.01   250.01  
BF            12.95    12.95    12.95  
d15            1.00    37.03    56.44  
d22           40.64     6.22     8.35  
d25           27.91    26.29     4.76  
d41           12.95    12.95    12.95  
入射瞳位置    41.66    60.73    77.55  
射出瞳位置   -53.90   -53.90   -53.90  
前側主点位置  55.04    77.41    87.29  
後側主点位置  -5.56   -21.76   -42.05  
ズームレンズ群データ
群  始面    焦点距離  レンズ構成長  前側主点位置  後側主点位置
1    1      70.48        71.09        62.47         66.17
2   16     -57.56        21.74         2.07        -15.47
3   23    -203.62         6.09       -10.71        -14.68
4   26      45.37        68.59        -6.37        -59.48
【００９２】
（数値実施例２）
単位 mm
面データ
面番号       r        d      nd         vd       有効径
1*        79.925    3.00   2.00069    25.5       58.64
2         29.412   17.71                         47.19
3        -59.718    2.00   1.81600    46.6       46.95
4      -1969.801    0.05                         48.65
5         70.018    4.37   1.95906    17.5       50.89
6        162.941    3.00                         50.63
7         81.749    9.42   1.43875    94.9       50.52
8*       -94.240    4.33                         50.25
9        361.439    1.47   1.85896    22.7       49.25
10         38.251   12.96   1.49700    81.5       48.08
11       -128.293    0.08                         48.59
12         85.150    6.95   2.00330    28.3       49.63
13       -177.689  (可変)                         49.29
14       -354.221    3.00   1.43875    94.9       39.53
15        -89.785  (可変)                         39.20
16*        48.235    0.92   1.81600    46.6       28.03
17         18.543    8.95                         24.32
18        -23.391    0.70   1.53775    74.7       23.43
19        376.255    2.00                         23.50
20        127.613    0.70   1.89286    20.4       23.65
21         22.214    6.02   1.96300    24.1       24.19
22        -87.849  (可変)                         24.46
23        -26.041    0.70   1.91650    31.6       24.66
24       -103.989    3.00   1.92286    18.9       26.23
25        -40.380  (可変)                         27.02
26(絞り)    ∞       1.01                         28.75
27*       101.959    3.71   1.88300    40.8       30.26
28       -106.955    0.13                         30.60
29         24.993    9.61   1.51823    58.9       31.76
30        -44.748    1.27   1.81600    46.6       31.29
31        117.140    0.50                         30.18
32         28.565    7.50   1.43875    94.9       29.49
33        -78.395    0.50                         28.49
34         28.973    0.73   1.91650    31.6       24.26
35         13.884    6.10   1.43875    94.9       21.37
36         85.117    4.50                         20.41
37        -37.241    4.47   1.43875    94.9       18.47
38        -13.384    1.33   2.00330    28.3       17.80
39         79.484    1.00                         19.34
40         68.068    1.20   1.95906    17.5       20.42
41         29.684    5.06   1.43875    94.9       21.06
42        -31.345    0.50                         21.89
43         96.098    3.00   1.95906    17.5       24.15
44        -93.862  (可変)                         24.45
像面        ∞   
非球面データ
第1面
K = 0.00000e+000  A 4=-6.41202e-008  A 6= 1.06448e-009  A 8= 5.16489e-013  A10=-8.76369e-015  A12= 1.77536e-017  A14=-1.54399e-020  A16= 5.09673e-024  
第8面
K = 0.00000e+000  A 4= 9.73656e-007  A 6= 3.11807e-010  A 8=-9.73514e-013  A10=-1.62248e-015  A12= 3.53177e-018  A14=-1.79583e-021  A16= 4.47895e-026  
第16面
K = 0.00000e+000  A 4= 3.10009e-006  A 6=-9.25439e-009  A 8= 5.09765e-011  A10=-2.73174e-013  A12= 4.24813e-016  
第27面
K = 0.00000e+000  A 4=-7.05661e-007  A 6= 5.35314e-010  A 8=-5.54070e-012  A10= 1.51605e-014  A12=-2.09656e-017  
【００９３】
各種データ
ズーム比      4.12 
広角     中間     望遠
焦点距離      16.51    36.08    68.00  
Fナンバー      2.80     2.80     2.80  
半画角        40.30    21.21    11.63  
像高          14.00    14.00    14.00  
レンズ全長   223.02   223.02   223.02  
BF            24.40    24.40    24.40  
d13            1.00    14.48    21.75  
d15            1.00    17.80    26.84  
d22           33.64     6.01     5.56  
d25           19.51    16.85     1.00  
d44           24.40    24.40    24.40  
入射瞳位置    36.50    56.90    78.20  
射出瞳位置   -34.77   -34.77   -34.77  
前側主点位置  48.41    70.98    68.06  
後側主点位置   7.90   -11.68   -43.59  
ズームレンズ群データ
群  始面    焦点距離  レンズ構成長  前側主点位置  後側主点位置
1    1      60.47        65.33        54.71         54.78
2   14     273.17         3.00         2.78          0.71
3   16     -38.17        19.30        -2.07        -19.78
4   23     -92.16         3.70        -4.05         -6.25
5   26      33.69        52.14       -10.78        -42.93
【００９４】
（数値実施例３）
単位 mm
面データ
面番号       r        d      nd         vd       有効径
1*        93.101    3.00   2.00100    29.1       57.25
2         32.260   16.93                         47.66
3        -55.155    2.00   1.69680    56.5       47.40
4     -15122.578    0.08                         49.18
5         70.580    3.90   1.76182    26.5       51.23
6        134.561    2.00                         51.06
7        205.012    7.15   1.43875    94.9       51.17
8*       -85.702    5.05                         51.15
9         73.216    1.47   1.93260    27.9       52.04
10         42.477   10.90   1.43385    95.2       50.41
11       -293.664    0.08                         50.49
12        416.378    4.03   1.69400    56.3       50.49
13       -181.736    1.00                         50.42
14        101.363    5.91   1.81600    46.7       48.78
15       -188.758  (可変)                         48.26
16*        43.942    0.92   1.69680    56.1       31.74
17         20.682    8.73                         27.94
18        -35.028    0.70   1.45600    90.9       27.58
19         50.320  (可変)                         27.64
20         56.865    0.70   1.85896    22.7       30.32
21         26.177    6.07   2.00100    29.1       30.77
22        274.056  (可変)                         30.78
23        -60.110    0.70   2.00100    29.1       32.81
24         90.823    5.21   1.85896    22.7       34.40
25        -77.459  (可変)                         35.04
26(絞り)    ∞       1.01                         36.25
27*        36.170    6.46   1.88300    40.8       38.45
28        871.057    0.50                         37.96
29         56.748    7.13   1.69895    30.1       36.05
30        -52.463    1.27   1.91100    35.2       35.34
31         38.232    0.50                         32.08
32         28.563    7.17   1.43385    95.2       32.74
33       -156.554    0.50                         32.49
34         34.747    0.73   2.00069    25.5       30.51
35         18.125    9.31   1.43385    95.2       27.93
36       -113.085   21.13                         27.70
37        -21.256    1.33   2.00520    21.0       22.32
38         22.694    6.70   2.00100    29.1       26.36
39        -71.707    0.50                         26.92
40         53.744    3.00   2.00272    19.3       29.02
41      46925.727  (可変)                         29.00
像面        ∞   
非球面データ
第1面
K = 0.00000e+000  A 4= 4.99543e-007  A 6=-4.23132e-010  A 8= 1.74537e-012  A10=-4.14940e-015  A12= 4.33495e-018  A14=-1.70597e-021  
第8面
K = 0.00000e+000  A 4= 6.12291e-007  A 6=-7.29258e-010  A 8= 1.92195e-012  A10=-5.16966e-015  A12= 6.04230e-018  A14=-2.69169e-021  
第16面
K = 0.00000e+000  A 4= 1.45780e-006  A 6=-4.10566e-009  A 8= 2.36909e-011  A10=-8.73777e-014  A12= 3.20798e-017  A14= 1.79913e-019  
第27面
K = 0.00000e+000  A 4=-2.33722e-006  A 6=-5.66701e-010  A 8= 8.46314e-014  A10=-3.19509e-015  A12= 3.87617e-018  
【００９５】
各種データ
ズーム比      2.63 
広角     中間     望遠
焦点距離      19.01    33.19    50.00  
Fナンバー      2.05     2.06     2.06  
半画角        36.38    22.87    15.64  
像高          14.00    14.00    14.00  
レンズ全長   225.07   225.07   225.07  
BF            13.38    13.38    13.38  
d15            1.00    22.97    34.80  
d19            1.50     2.64     3.25  
d22           27.50    13.51    18.45  
d25           27.91    18.79     1.40  
d41           13.38    13.38    13.38  
入射瞳位置    38.86    54.26    68.10  
射出瞳位置   -48.90   -48.90   -48.90  
前側主点位置  52.07    69.76    77.96  
後側主点位置  -5.62   -19.81   -36.62  
ズームレンズ群データ
群  始面    焦点距離  レンズ構成長  前側主点位置  後側主点位置
1    1      52.80        63.50        49.76         42.97
2   16     -23.28        10.35         5.39         -3.73
3   20      58.49         6.77        -0.61         -3.97
4   23    -153.71         5.91        -5.29         -8.75
5   26      40.07        67.25        -6.72        -54.65
【００９６】
（数値実施例４）
単位 mm
面データ
面番号       r        d      nd         vd       有効径
1*        91.225    3.00   2.00100    29.1       57.61
2         33.874   17.11                         48.40
3        -65.901    2.00   1.78336    49.5       47.50
4       1279.115    0.08                         48.47
5         71.033    4.03   1.85896    22.7       52.06
6        134.669    2.00                         52.12
7        193.364    9.00   1.43875    94.9       52.65
8*       -80.864    5.05                         53.20
9        837.363    1.47   1.70585    30.3       52.96
10         43.326   10.18   1.43385    95.2       52.57
11        945.397    0.08                         52.99
12        102.305    7.29   1.81600    46.6       54.34
13       -175.018    1.00                         54.28
14        189.340    4.67   1.88300    40.8       52.62
15       -233.855  (可変)                         52.19
16*        53.989    0.92   1.75501    51.2       31.79
17         24.603    7.26                         28.80
18        -48.174    0.70   1.48563    85.2       28.53
19         63.720    1.50                         28.06
20         70.249    0.70   1.90680    21.2       29.06
21         23.325    6.40   2.00294    23.5       29.63
22        251.391  (可変)                         29.70
23        -31.606    0.70   1.96300    24.1       29.94
24       -158.404    4.06   1.92286    18.9       32.17
25        -41.584  (可変)                         33.08
26        102.477    5.00   1.43875    95.0       35.51
27       -114.788  (可変)                         35.85
28(絞り)    ∞       1.01                         36.09
29*        34.513    6.26   1.88300    40.8       36.71
30        198.885    0.50                         35.77
31         74.529    6.18   1.59551    38.8       34.84
32        -50.300    1.27   1.74597    40.0       34.35
33         33.274    0.50                         31.57
34         28.557    7.52   1.43385    95.2       31.85
35       -189.712    0.50                         31.32
36         31.434    0.73   2.00540    27.7       29.17
37         16.871    8.06   1.43385    95.2       26.51
38        232.052   19.58                         26.17
39        -24.921    1.33   1.90200    25.1       22.95
40         25.263    6.79   1.78336    49.5       25.88
41        -60.026    0.50                         26.75
42         39.856    3.00   2.00170    20.6       29.39
43        134.596  (可変)                         29.25
像面        ∞   
非球面データ
第1面
K = 0.00000e+000  A 4= 1.94842e-007  A 6= 1.79495e-010  A 8= 1.40309e-013  A10=-1.31940e-015  A12= 1.53661e-018  A14=-6.12614e-022  
第8面
K = 0.00000e+000  A 4= 2.68033e-007  A 6=-1.86648e-010  A 8=-6.25948e-014  A10=-1.06655e-015  A12= 1.62179e-018  A14=-7.86757e-022  
第16面
K = 0.00000e+000  A 4= 3.55414e-007  A 6=-2.33358e-009  A 8= 4.31894e-012  A10= 2.86808e-014  A12=-2.54131e-016  A14= 4.54673e-019  
第29面
K = 0.00000e+000  A 4=-1.37368e-006  A 6=-2.49902e-010  A 8=-1.28552e-012  A10= 4.37565e-017  A12= 2.31111e-018  
【００９７】
各種データ
ズーム比      2.97 
広角     中間     望遠
焦点距離      18.51    34.86    55.00  
Fナンバー      2.06     2.06     2.06  
半画角        37.10    21.88    14.28  
像高          14.00    14.00    14.00  
レンズ全長   235.03   235.03   235.03  
BF            12.94    12.94    12.94  
d15            1.00    37.24    56.75  
d22           31.61     6.70     5.42  
d25           10.14    12.08     1.00  
d27           21.42     8.15     1.00  
d43           12.94    12.94    12.94  
入射瞳位置    39.49    59.80    77.03  
射出瞳位置   -51.30   -51.30   -51.30  
前側主点位置  52.66    75.75    84.95  
後側主点位置  -5.57   -21.91   -42.05  
ズームレンズ群データ
群  始面    焦点距離  レンズ構成長  前側主点位置  後側主点位置
1    1      70.52        66.95        60.07         60.78
2   16     -47.42        17.47         1.89        -11.33
3   23    -157.20         4.76        -8.63        -11.75
4   26     124.27         5.00         1.65         -1.85
5   28      57.76        63.74        -7.09        -57.62
【００９８】
前述の各条件式と数値実施例における諸数値の関係を表１に示す。
【表１】
2020194056.tif 000004
【００９９】
次に本発明のズームレンズを撮影光学系として用いた撮像装置の実施形態について図１７を用いて説明する。
図１７は各実施例のズームレンズを撮影光学系として用いた撮像装置（テレビカメラシステム）の概略図である。
【０１００】
図１７において１０１は実施例１ないし実施例４のうちいずれかのズームレンズである。１２４はカメラ装置である。ズームレンズ１０１はカメラ装置１２４に対して着脱可能となっている。１２５はカメラ装置１２４にズームレンズ１０１を装着することで構成される撮像装置である。ズームレンズ１０１は第１レンズ群Ｆ、変倍部ＬＺ、結像用のレンズ群Ｒを有している。第１レンズ群Ｆは合焦用レンズ群が含まれている。ＳＰは開口絞りである。１１４、１１５は各々第１レンズ群Ｆ、変倍部ＬＺを光軸方向に駆動するヘリコイドやカム等の駆動機構である。１１６、１１７、１１８は駆動機構１１４、１１５および開口絞りＳＰを電動駆動するモータ（駆動手段）である。１１９、１２０、１２１は、第１レンズ群Ｆや変倍部ＬＺの光軸上の位置や、開口絞りＳＰの絞り径を検出するためのエンコーダやポテンショメータ、あるいはフォトセンサ等の検出器である。
【０１０１】
なお、レンズ群Ｒ内に移動群を有するズームレンズの場合は、１１４〜１２１と同様の駆動機構と検出器の構成がレンズ群Ｒにも付加される。カメラ装置１２４において、１０９はカメラ１２４内の光学フィルターや色分解光学系に相当するガラスブロック、１１０はズームレンズ１０１によって形成される像面に配されるＣＣＤセンサやＣＭＯＳセンサ等の固体撮像素子（光電変換素子）である。また、１１１、１２２はカメラ装置１２４およびズームレンズ１０１の各種の駆動を制御するＣＰＵである。
【符号の説明】
【０１０２】
Ｌ１：第１レンズ群（前レンズ群）
Ｌ２：第２レンズ群（変倍レンズ群）
Ｌ３：第３レンズ群（変倍レンズ群）
Ｌ４：第４レンズ群（後レンズ群（実施例１）、変倍レンズ群（実施例２〜４））
Ｌ５：第５レンズ群（後レンズ群）
【図１】
2020194056.tif 000005
【図２】
2020194056.tif 000006
【図３】
2020194056.tif 000007
【図４】
2020194056.tif 000008
【図５】
2020194056.tif 000009
【図６】
2020194056.tif 000010
【図７】
2020194056.tif 000011
【図８】
2020194056.tif 000012
【図９】
2020194056.tif 000013
【図１０】
2020194056.tif 000014
【図１１】
2020194056.tif 000015
【図１２】
2020194056.tif 000016
【図１３】
2020194056.tif 000017
【図１４】
2020194056.tif 000018
【図１５】
2020194056.tif 000019
【図１６】
2020194056.tif 000020
【図１７】
2020194056.tif 000021